(57)【要約】【課題】冷陰極管のピン端子がある端部からの発熱の影響を軽減してコストダウンを可能にすると共に、冷陰極管の端部がランプソケットから外れないようにした液晶モジュールを提供する。【解決手段】冷陰極管３の端部をスリット部４ｂから中空保持部４ａへ挿入して保持させたランプソケット４を押えるランプフレーム５のソケット押え部５ｄの下端に、ランプソケット４の中空保持部４ａ及びスリット部４ｂが設けられた両端部との接触を避けるための凹欠部５ｅを形成し、好ましくはソケット押え部５ｄの近傍部分にスリット部４ｂの拡開を抑制する拡開抑制リブ５ｆを形成した液晶モジュールとする。凹欠部５ｅでソケット押え部５ｄの昇温を抑制して耐熱温度の低い安価なランプフレーム５を使用可能とし、冷陰極管３の電流値を上げて本数削減を可能とする。拡開抑制リブ５で冷陰極管３の外れを防止する。【選択図】図２
2011002714.tif 000002
【特許請求の範囲】
【請求項１】
冷陰極管のピン端子のある端部を保持する中空保持部と上方から冷陰極管の端部を中空保持部に挿入するスリット部とを少なくとも備えたランプソケットの上記中空保持部に冷陰極管の端部を保持させ、ランプソケットをリアフレームの左右の側板に沿って底板に取付けると共に、斜板部と天板部と背板部を備えたランプフレームをリアフレームの左右の側板の内側に設置してランプソケットを覆い隠し、ランプフレームの背板部に形成したソケット押え部でランプソケットの上面を押えた液晶モジュールにおいて、
上記ランプフレームの背板部のソケット押え部の下端に、上記ランプソケットの中空保持部及びスリット部が設けられた部分のソケット上面との接触を避けるための凹欠部を形成したことを特徴すとる液晶モジュール。
【請求項２】
上記ランプフレームの背板部のソケット押え部の近傍部分に、上記ランプソケットのスリット部の拡開を抑制する拡開抑制リブを、上記ランプソケットのスリット部が設けられた部分のソケット側面に近づけて形成したことを特徴とする請求項１に記載の液晶モジュール。
【発明の詳細な説明】
【技術分野】
【０００１】
本発明は、液晶テレビやパソコンなどに組み込まれる直下ライト型の液晶モジュールに関し、特に、ランプフレームによるランプソケットの固定構造を改良することによって、冷陰極管のピン端子がある端部からの発熱の影響を軽減できるようにした液晶モジュールに関する。
【背景技術】
【０００２】
大型の液晶テレビに組み込まれる直下ライト型の液晶モジュールとして、直状の冷陰極管を２本一組にしてリアフレームの内部に複数組配設し、各組の２本の冷陰極管の両端にランプソケットを設けると共に、冷陰極管の一端のピン端子同士をコネクトプレートで接続して疑似Ｕ字状の冷陰極管としたものが知られている。斯かる液晶モジュールは、図５に示すように、２本一組の冷陰極管３，３のピン端子がある端部をランプソケット４の両端部の中空保持部４ａ，４ａにスリット部４ｂ，４ｂから挿入して保持させ、ランプソケット４の下面の突起４ｄ，４ｄをリアフレーム１の底板１ａに形成された孔に差し込んで、ランプソケット４をリアフレーム１の側板沿いに取付けている。そして、ランプソケット４を覆い隠すランプフレーム５をリアフレーム１の側板の内側に設置し、ランプフレーム５の背板部５ｃに形成したソケット押え部５ｄでランプソケット４の上面を押えて固定している。
【０００３】
一方、液晶モジュールのランプソケットの固定に関する先行技術として、例えば、上記ランプフレームに相当するサポーターの内部においてランプソケットをバランスＰＣＢに半田付けして固定したもの（特許文献１）や、上記ランプフレームに相当するサブフレームの内部においてランプソケットをベースボード表面のコネクタに取り外し可能に接続したもの（特許文献２）なども知られている。
【先行技術文献】
【特許文献】
【０００４】
【特許文献１】特開２００８−１４６０５０号公報
【特許文献２】特開２００７−８０６２７号公報
【発明の概要】
【発明が解決しようとする課題】
【０００５】
しかしながら、図５に示す従来の液晶モジュールのように、ランプフレーム５の背板部５ｃに形成されたソケット押え部５ｄでランプソケット４の上面を押えて固定したものは、冷陰極管３，３のピン端子のある端部からの発熱によって、ランプソケット４の中空保持部４ａ及びスリット部４ｂを設けた両端部が加熱され、ランプフレーム５のソケット押え部５ｄ、特に、ランプソケット４の両端部を押えている部分の温度が高くなるため、耐熱温度の高い合成樹脂等で成形したランプフレーム５を使用するか、或いは、冷陰極管３の電流値を下げて使用するなどの対策を講じていた。けれども、耐熱合成樹脂製のランプフレームはコストアップを招くと問題があり、また、冷陰極管の電流値を下げて使用する場合も、輝度の低下が生じないように冷陰極管３の本数を増加せざるを得ないので、やはりコストアップを招くという問題があった。
【０００６】
一方、前記特許文献１，２のランプソケットの固定技術は、図５に示す従来の液晶モジュールのランプソケットの固定技術とは本質的に異なるものであり、上記問題を解決する手段として前記特許文献１，２の技術を従来の液晶モジュールに適用できる余地は全くない。
【０００７】
本発明は上記事情の下になされたもので、その解決しようとする課題は、冷陰極管のピン端子がある端部からの発熱の影響を軽減してコストダウンを可能にすると共に、冷陰極管の端部がランプソケットから外れないようにした液晶モジュールを提供することにある。
【課題を解決するための手段】
【０００８】
上記課題を解決するため、本発明に係る液晶モジュールは、冷陰極管のピン端子のある端部を保持する中空保持部と上方から冷陰極管の端部を中空保持部に挿入するスリット部とを少なくとも備えたランプソケットの上記中空保持部に冷陰極管の端部を保持させ、ランプソケットをリアフレームの左右の側板に沿って底板に取付けると共に、斜板部と天板部と背板部を備えたランプフレームをリアフレームの左右の側板の内側に設置してランプソケットを覆い隠し、ランプフレームの背板部に形成したソケット押え部でランプソケットの上面を押えた液晶モジュールにおいて、
上記ランプフレームの背板部のソケット押え部の下端に、上記ランプソケットの中空保持部及びスリット部が設けられた部分のソケット上面との接触を避けるための凹欠部を形成したことを特徴とするものである。
【０００９】
本発明の液晶モジュールにおいては、ランプフレームの背板部のソケット押え部の近傍部分に、ランプソケットのスリット部の拡開を抑制する拡開抑制リブを、ランプソケットのスリット部が設けられた部分のソケット側面に近づけて形成することが好ましい。
【発明の効果】
【００１０】
本発明の液晶モジュールのように、ランプフレームの背板部のソケット押え部の下端に、ランプソケットの中空保持部及びスリット部が設けられた部分のソケット上面との接触を避けるための凹欠部を形成すると、ランプソケットの中空保持部及びスリット部が設けられた部分が、冷陰極管の端部からの発熱で高温に加熱されても、凹欠部によってランプフレームのソケット押え部への熱伝導が妨げられるので、ソケット押え部の凹欠部形成箇所の温度上昇が抑制され、それほど高温になることはない。従って、耐熱温度の低い安価な合成樹脂製のランプフレームの使用が可能となり、また、冷陰極管の電流値を上げることによって冷陰極管の本数削減も可能となるので、コストダウンを図ることができる。
【００１１】
そして、ランプソケットのスリット部の拡開を抑制する拡開抑制リブを、ランプソケットのスリット部が設けられた部分のソケット側面に近づけて形成したものは、液晶モジュールに衝撃力が作用して冷陰極管の端部がランプソケットの中空保持部から外れようとしても、拡開抑制リブによってランプソケットのスリット部の拡開が抑制されるため、ランプソケットの中空保持部から冷陰極管の端部が外れるのを確実に防止することができる。
【図面の簡単な説明】
【００１２】
【図１】本発明の一実施形態に係る液晶モジュールの分解斜視図である。
【図２】同液晶モジュールのランプフレームを破断して示す部分横断面図である。
【図３】図２のＡ−Ａ線断面面である。
【図４】（ａ）はコネクトプレートでピン端子同士を接続してランプソケットを取付けた一組の冷陰極管の一端部を示す平面図、（ｂ）はランプソケットを取付けた一組の冷陰極管の他端部を示す平面図、（ｃ）は（ｂ）のＢ−Ｂ線断面図である。
【図５】従来の液晶モジュールのランプフレームを破断して示す部分横断面図である。
【発明を実施するための形態】
【００１３】
図１〜図４に示す実施形態の液晶モジュールは、リアフレーム１、光反射シート２、冷陰極管３、ランプソケット４，４０、ランプフレーム５、ランプホルダー６、光学シート７ａ，７ｂ、セルガイド８、液晶パネル９、ベゼル１０ａ，１０ｂなどの主要構成部品によって組み立てられている。
【００１４】
リアフレーム１は板金製の浅い箱型のフレームであって、その内部には、逆台形状に折り曲げられた光反射シート２が設けられている。この光反射シート２の上には、直状の冷陰極管３が２本一組にされて平行に配設されており、各組の冷陰極管３の両端にはランプソケット４，４０が取付けられている。そして、これらの冷陰極管３の中間部はランプホルダー６で保持されてリアフレーム１の底板１ａに固定されており、また、ランプソケット４，４０を取付けた冷陰極管３の両端部は、ランプソケットに起因する明るさのバラツキが生じないように、リアフレーム１の左右の側板１ｂ，１ｂの内側に設置された合成樹脂製のランプフレーム５，５によって覆い隠されている。
尚、これらの冷陰極管３、ランプソケット４，４０、ランプフレーム５については、後で詳しく説明する。
【００１５】
リアフレーム１の上下の側板１ｃ，１ｃは、図１，図２に示すように逆Ｕ字状に折り曲げられて二重側板とされており、この二重側板１ｃ，１ｃの上面には２枚の光学シート７ａ，７ｂの端縁（上下の長辺沿いの端縁）が載置されて、セルガイド８，８で押えられている。そして、光学シート７ａ，７ｂの左右の端縁は、図３に示すようにランプフレーム５のシート受け溝５ｇに挿入されている。これらの光学シート７ａ，７ｂは、冷陰極管３からの直射光や光反射シート２で反射された反射光を拡散して液晶パネル９を背後から均一に照らす光拡散シートであり、上側の光学シート７ｂは薄い光拡散シートであるが、下側の光学シート７ａは撓みにくい厚手の光拡散シート（光拡散板）が使用されている。
【００１６】
上記のランプフレーム５，５とセルガイド８，８の上には液晶パネル９の四周縁が載置されており、この液晶パネル９は、図２，図３に示すように、ランプフレーム５とセルガイド８の上面にそれぞれ形成された位置決め突起５ｈ，８ａによって上下左右に移動しないように位置決めされている。図１〜図３に示すように、液晶パネル９の長辺沿いの端縁にはチップオンフィルム９ａを介してＸ−配線基板（Ｘ−ＰＣＢ）９ｂが、また、短辺沿いの端縁にはチップオンフィルム９ｃを介してＹ−配線基板（Ｙ−ＰＣＢ）９ｄがそれぞれ接続されており、Ｘ−配線基板９ｂはセルガイド８の側面に、また、Ｙ−配線基板９ｄはリアフレーム１の側板１ｃにそれぞれ取付けられている。
【００１７】
液晶パネル９の四周縁とリアフレーム１の四周の側板１ｂ，１ｂ，１ｃ，１ｃは、方形枠状に組まれた長短４本のベゼル１０ａ，１０ａ，１０ｂ，１０ｂで囲繞被覆されており、これらのベゼルはビスでリアフレーム１の二重側板１ｃ，１ｃに固定されている。
【００１８】
この液晶モジュールの大きい特徴は、ランプフレーム５によるランプソケット４，４０の固定の仕方にある。先ず、ランプソケットから説明すると、これらのランプソケット４，４０はいずれも耐熱ゴムで成形されたものであって、一方のランプソケット４は、図４の（ａ）に示すように、２本一組の冷陰極管３，３の一端部から突き出すピン端子３ａ，３ａ同士をコネクトプレート３ｂで接続することによって疑似Ｕ字状とした該冷陰極管３，３の一端部に取付けられており、他方のランプソケット４０は、図４の（ｂ）（ｃ）に示すように、疑似Ｕ字状の冷陰極管３，３の他端部（リード線３ｃを接続したピン端子がある端部）に取付けられている。
【００１９】
図２，図３，図４の（ａ）に示すように、一方のランプソケット４の両端部には、中空保持部４ａ，４ａとスリット部４ｂ，４ｂが形成されており、疑似Ｕ字状の冷陰極管３，３の一端部がスリット部４ｂ，４ｂから中空保持部４ａ，４ａに挿入されて保持されている。また、このランプソケット４には溝部４ｃが形成されており、この溝部４ｃに冷陰極管３，３の一端部のピン端子３ａ，３ａ同士を接続するコネクトプレート３ｂが収容されている。更に、このランプソケット４の両端部の下面には突起４ｄ，４ｄが形成されており、この突起４ｄ，４ｄをリアフレーム１の底面１ａに形成された孔（不図示）に嵌め込むことによって、ランプソケット４がリアフレーム１の側面１ｂの内側に取付けられている。
【００２０】
ランプソケット４のスリット部４ｂは、図２に示すように、中空保持部４ａよりも幅狭に形成されており、衝撃力等が加わらなければ、冷陰極管３の一端部が中空保持部４ａから簡単に外れないようになっている。また、スリット部４ｂの上部の両側面は上拡がりの斜面に形成されており、冷陰極管３の一端部を上方から押し込むと、スリット部４ｂが弾性拡開して冷陰極管３を容易に中空保持部４ａへ挿入できるようになっている。
【００２１】
他方のランプソケット４０は、図４の（ｂ）（ｃ）に示すように、ソケット両端部に、冷陰極管３，３の他端部を保持する中空保持部４０ａと、冷陰極管３，３の他端部を中空保持部へ挿入するスリット部４０ｂと、ピン端子に接続したリード線３ｃを引き出すリード線引出し口４０ｅと、下面の突起４０ｄを設けたものであり、この突起４０ｄをリアフレーム１の底面１ａに形成された孔に嵌め込むことによって、リアフレーム１の反対側の側面の内側に取付けられている。
【００２２】
上記ランプソケット４，４０を覆い隠すランプフレーム５，５は、図２，図３に示すように、斜板部５ａと、天板部５ｂと、背板部５ｃとを備えた合成樹脂製のフレームであって、斜板部５ａの下端には、冷陰極管３を挿通する切欠部５ｉが形成されており、斜板部５ａの上端には、光学シート７ａ，７ｂの端縁を挿入する前記シート受け溝５ｇが形成されており、天板部５ｂの上面には、液晶パネル９を位置決めする前記位置決め突起５ｈが形成されている。
【００２３】
このランプフレーム５の背板部５ａは、リアフレーム１の内側方向に凹入する凹入部とリアフレーム１の外側方向へ凸出する凸出部とが交互に連なった凹凸板状に形成されており、図２，図３に示すように、リアフレーム１の内側方向に凹入した凹入部５ｄがランプソケット４を上方から押えて固定するソケット押え部５ｄになっている。そして、このソケット押え部５ｄの下端には、ランプソケット４の中空保持部４ａ及びスリット部４ｂが設けられた両端部のソケット上面との接触を避けるための凹欠部５ｅ，５ｅが形成されており、更に、背板部５ｃのソケット押え部５ｄの近傍部分には、ランプソケット４のスリット部４ｂの拡開を抑制する拡開抑制リブ５ｆ，５ｆが、ランプソケット４のスリット部４ｂを設けた両端部のソケット側面に近づけて形成されている。
【００２４】
上記ように、凹欠部５ｅ，５ｅを形成したソケット押え部５ｄでランプソケット４の上面を押えて固定すると、ランプソケット４の中空保持部４ａ及びスリット部４ｂを設けた両端部が、冷陰極管３，３の端部からの発熱で高温に加熱されても、凹欠部５ｅ，５ｅによってランプフレーム５のソケット押え部５ｄへの熱伝導が妨げられるので、ソケット押え部５ｄの凹欠部形成箇所の温度上昇が抑制され、それほど高温になることはない。従って、耐熱温度の低い安価な合成樹脂製のランプフレーム５の使用が可能となり、また、冷陰極管３の電流値を上げることによって冷陰極管３の本数削減も可能となるので、コストダウンを図ることができる。
【００２５】
そして、拡開抑制リブ５ｆ，５ｆが、ランプソケット４のスリット部４ｂを設けた両端部のソケット側面に近づけて形成されていると、液晶モジュールに衝撃力が作用して冷陰極管３，３の端部がランプソケット４の中空保持部４ａ，４ａから外れようとしても、拡開抑制リブ５ｆ，５ｆによってランプソケット４のスリット部４ｂ，４ｂの拡開が抑制されるため、ランプソケット４の中空保持部４ａ，４ａから冷陰極管３，３の端部が外れるのを確実に防止することができる。
【００２６】
他方のランプソケット４０も、上記と同様に、ランプフレーム５の凹欠部５ｅ，５ｅが形成されたソケット押え部５ｄで押えて固定しているので、ランプソケット４０の両端部が冷陰極管３，３の発熱で加熱されても、ソケット押え部５ｄの凹欠部形成箇所の温度上昇が抑制され、また、衝撃力が作用した場合でも、拡開抑制リブ５ｆ，５ｆによってランプソケット４０のスリット部４０ｂ，４０ｂの拡開が抑制される。従って、上記と同様の作用効果が得られる。
【符号の説明】
【００２７】
１    リアフレーム
１ａ  底板
１ｂ  左右の側板
３    冷陰極管
３ａ  ピン端子
４，４０    ランプソケット
４ａ，４０ａ  中空保持部
４ｂ，４０ｂ  スリット部
５    ランプフレーム
５ａ  斜板部
５ｂ  天板部
５ｃ  背板部
５ｄ  ソケット押え部
５ｅ  凹欠部
５ｆ  拡開抑制リブ
【図１】
2011002714.tif 000003
【図２】
2011002714.tif 000004
【図３】
2011002714.tif 000005
【図４】
2011002714.tif 000006
【図５】
2011002714.tif 000007